(57)【要約】【課題】移動通信システムにおいて、例えばリソース割当の伝達における高いオーバヘッドのような伝達負荷を削減する方法を提供すること。【解決手段】リソース割当情報伝達方法は、各ユーザ装置に複数のリソース割当を割り当てる移動通信システムにおいて、複数のユーザ装置に通信リソース割当情報を伝達する方法であって、各ユーザ装置に対して、該ユーザ装置に割り当てられたリソース割当のうちの一のリソース割当に関するリソース割当情報を、制御チャネルを介して提供し、該ユーザ装置に割当てられた少なくとも１つの他のリソース割当に関するリソース割当情報を、該一のリソース割当におけるデータチャネルを介して提供する。【選択図】図４
2011211749.tif 000002
【特許請求の範囲】
【請求項１】
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムにおいて、通信装置が制御情報を通信する方法であって、
共有データチャネルにおける周波数リソース割当を識別する制御情報を、基地局からＥ−ＵＴＲＡ無線インタフェース上で、制御チャネルにおいて受信する工程と、
さらなる周波数リソース割当を識別する制御情報を、基地局からＥ−ＵＴＲＡ無線インタフェース上で、前記共有データチャネルにおける前記識別された周波数リソース割当において受信する工程と、を含むことを特徴とする通信方法。
【請求項２】
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムの通信装置であって、
共有データチャネルにおける周波数リソース割当を識別する制御情報を、基地局からＥ−ＵＴＲＡ無線インタフェース上で、制御チャネルにおいて受信するとともに、
さらなる周波数リソース割当を識別する制御情報を、基地局からＥ−ＵＴＲＡ無線インタフェース上で、前記共有データチャネルにおける前記識別された周波数リソース割当において受信するように構成されていることを特徴とする通信装置。
【請求項３】
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムにおいて、基地局が制御情報を通信する方法であって、
共有データチャネルにおける周波数リソース割当を識別する制御情報を、通信装置へＥ−ＵＴＲＡ無線インタフェース上で、制御チャネルにおいて送信する工程と、
さらなる周波数リソース割当を識別する制御情報を、通信装置へＥ−ＵＴＲＡ無線インタフェース上で、前記共有データチャネルにおける前記識別された周波数リソース割当において送信する工程と、を含むことを特徴とする通信方法。
【請求項４】
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムの基地局であって、
共有データチャネルにおける周波数リソース割当を識別する制御情報を、通信装置へＥ−ＵＴＲＡ無線インタフェース上で、制御チャネルにおいて送信するとともに、
さらなる周波数リソース割当を識別する制御情報を、通信装置へＥ−ＵＴＲＡ無線インタフェース上で、前記共有データチャネルにおける前記識別された周波数リソース割当において送信するように構成されていることを特徴とする基地局。
【請求項５】
請求項１または３に記載の方法をコンピュータに実行させるプログラム。
【発明の詳細な説明】
【技術分野】
【０００１】
（関連出願）
本出願は、２００６年１１月１日の連合王国出願０６２１７６７．３の国内優先権を主張する、２００７年１月９日の連合王国出願０７００３６５．０及び２００６年１１月１日の連合王国出願０６２１７６７．３の優先権を主張してなされるものであり、これらの先行出願は、引用によって本出願に組み込まれる。
【０００２】
本発明は、移動通信網に関し、限定的にではないものの、特に、３ＧＰＰの規格及びその等価物を用いた移動通信網に関する。
【背景技術】
【０００３】
Ｅ−Ｕｔｒａ（Ｅｖｏｌｖｅｄ  Ｕｎｉｖｅｒｓａｌ  Ｔｅｒｅｓｔｒｉａｌ  Ｒａｄｉｏ  Ａｃｃｅｓｓ）エアインタフェースのための下りリンク及び上りリンク多重アクセススキームは、現在３ＧＰＰ（第３世代移動通信システムが将来更に発展することを見越した共同作業に基づく規格）において研究されている。Ｅ−Ｕｔｒａシステムの下では、多数のユーザ装置と通信する基地局は、効率的で高速なリンクの適合を可能とし、更に多数のユーザのダイバーシティゲインを達成するために、できるだけ多くの同時ユーザの間に（帯域幅に依存して）時間/周波数リソースの全量を割り当てる。各ユーザ装置に割り当てられるリソースは、ユーザ装置と基地局との間の瞬時的なチャネルの状態に基くもので、ユーザ装置によって監視される制御チャネルを介して報知される。Ｅ−Ｕｔｒａの詳細は、当業者にとって周知であり、多くの文献に見出しうる。
【発明の概要】
【発明が解決しようとする課題】
【０００４】
以下の分析は、本発明によって与えられる。
【０００５】
スケジュールされたＥ−Ｕｔｒａのユーザ装置（ＵＥ）に対する上りリンク及び下りリンクのためのリソース割当情報は、共有される共通の制御チャネルによって搬送される。制御チャネルによって使用可能なビット数は限られているため、最低のビット数で所要の情報を送信するための効率的な方法が必要となる。Ｒａｄｉｏ  Ａｃｃｅｓｓ  Ｎｅｔｗｏｒｋ作業グループＲＡＮ１は、Ｅ−Ｕｔｒａ下りリンクにおいて各ＵＥにリソース割当を伝達するためにビットマップ法を用いることを提案している。しかし、ビットマップに基いたアプローチは、１つの物理リソースブロック当り１ビット、すなわち、１０ＭＨｚの帯域について５０ビットを必要とし、高いオーバヘッドを有する。したがって、伝達負荷を削減するリソース割当伝達方法が望ましい。
【０００６】
本発明の目的は、移動通信システムにおいて、例えば、リソース割当の伝達における高いオーバヘッドのような伝達負荷を削減する方法、システム、その構成要素、又はそのためのプログラムを提供することにある。
【０００７】
本発明の他の目的は、請求項及び図面を含む全開示において明らかとなる。
【課題を解決するための手段】
【０００８】
本発明の第１のアスペクトによると、
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムにおいて、通信装置が制御情報を通信する方法であって、
共有データチャネルにおける周波数リソース割当を識別する制御情報を、基地局からＥ−ＵＴＲＡ無線インタフェース上で、制御チャネルにおいて受信する工程と、
さらなる周波数リソース割当を識別する制御情報を、基地局からＥ−ＵＴＲＡ無線インタフェース上で、前記共有データチャネルにおける前記識別された周波数リソース割当において受信する工程と、を含む通信方法が提供される。
本発明の第２のアスペクトによると、
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムの通信装置であって、
共有データチャネルにおける周波数リソース割当を識別する制御情報を、基地局からＥ−ＵＴＲＡ無線インタフェース上で、制御チャネルにおいて受信するとともに、
さらなる周波数リソース割当を識別する制御情報を、基地局からＥ−ＵＴＲＡ無線インタフェース上で、前記共有データチャネルにおける前記識別された周波数リソース割当において受信するように構成された通信装置が提供される。
本発明の第３のアスペクトによると、
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムにおいて、基地局が制御情報を通信する方法であって、
共有データチャネルにおける周波数リソース割当を識別する制御情報を、通信装置へＥ−ＵＴＲＡ無線インタフェース上で、制御チャネルにおいて送信する工程と、
さらなる周波数リソース割当を識別する制御情報を、通信装置へＥ−ＵＴＲＡ無線インタフェース上で、前記共有データチャネルにおける前記識別された周波数リソース割当において送信する工程と、を含む通信方法が提供される。
本発明の第４のアスペクトによると、
複数の通信装置のそれぞれに複数のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）リソース割当が割り当てられる移動通信システムの基地局であって、
共有データチャネルにおける周波数リソース割当を識別する制御情報を、通信装置へＥ−ＵＴＲＡ無線インタフェース上で、制御チャネルにおいて送信するとともに、
さらなる周波数リソース割当を識別する制御情報を、通信装置へＥ−ＵＴＲＡ無線インタフェース上で、前記共有データチャネルにおける前記識別された周波数リソース割当において送信するように構成されていることを特徴とする基地局が提供される。
本発明の第５のアスペクトによると、
上記の方法をコンピュータに実行させるプログラムが提供される。
本発明の１つのアスペクトにおいて、ビットマップ法におけるものより必要とするビットのオーバヘッドが少ないことが保証された通信システムにおける下りリンクのリソース割当情報の伝達方法が提供される。ここに提案される方法は、次のリソース割当を扱うことができる。
−不連続な局在化した割当単位。すなわち、ＵＥは、複数の不連続な局在化した割当が割り当てられ、局在化した割当のそれぞれは、ある数の隣接する（ないし一連の、ｃｏｎｓｅｃｕｔｉｖｅ）リソースブロックである。
【０００９】
本発明の１つのアスペクトにおいて、ユーザに複数のリソース割当が割り当てられる通信システムにおけるリソース割当情報の伝達方法であって、少なくとも一部のリソース割当情報は、制御チャネルを介してではなく、データチャネルを介して伝達される方法が提供される。
【００１０】
本発明の他のアスペクトにおいて、各ユーザ装置に複数のリソース割当が割り当てられる移動通信システムにおいて、複数のユーザ装置に通信リソース割当情報を伝達する方法であって、各ユーザ装置に対して、該ユーザ装置に割り当てられたリソース割当のうちの一のリソース割当に関するリソース割当情報を、制御チャネルを介して提供し、該ユーザ装置に割当てられた少なくとも１つの他のリソース割当に関するリソース割当情報を、該一のリソース割当におけるデータチャネルを介して提供する方法が提供される。これにより、制御チャネルを介して転送すべきデータ量が削減される。
【００１１】
一実施形態において、ユーザ装置に割当てられる第１のリソース割当は、前記一のリソース割当として選択される。後続するリソース割当に関するリソース割当情報は、先行するリソース割当のデータチャネルを介して提供される。他の可能性として、後続するすべてのリソース割当についてのリソース割当情報は、前記一のリソース割当におけるデータチャネルを介して提供される。
【００１２】
リソース割当情報は、ＲＦＩフィールドのリスト又はビットマップとして、前記１つのリソース割当におけるデータチャネルを介して提供してもよい。
【００１３】
リソース割当情報の提供がなされる他のリソース割当の数に依存して、ＲＦＩフィールドのリストとして又はビットマップとして、前記一のリソース割当におけるデータチャネルを介して、リソース割当情報を提供してもよい。制御チャネルは、リソース割当情報の提供がなされる他のリソース割当の数と、リソース割当情報がＲＦＩフィールドのリストとして提供されるか又はビットマップとして提供されるかと、を特定するインジケータを有していてもよい。
【００１４】
一実施形態において、最良のチャネル品質インジケータを有するリソース割当を、前記一のリソース割当として選択する。後続のさらなるリソース割当に関するリソース割当情報は、選択されたリソース割当におけるデータチャネルを介して提供してもよい。
【００１５】
一実施形態において、各ユーザ装置は、専用の制御チャネルを有している。一実施形態において、各制御チャネルは、対応するユーザ装置に割り当てられた第１のリソース割当において提供される。これにより、制御チャネルが正しく復調される可能性が高まる。
【００１６】
一実施形態において、各制御チャネルは、対応するユーザ装置であって最良のチャネル品質インジケータを有するものに割り当てられたリソース割当において提供される。これにより、ユーザ装置によって正しく復号される可能性が高まる。一実施形態において、各制御チャネルは、対応するユーザ装置の前記１つのリソース割当において提供される。
【００１７】
一実施形態において、制御チャネルは、送信時間間隔（ＴＴＩ）の開始点に置くことができる一連の連続したリソース割当において提供される。これにより、制御チャネルの復号の遅延が削減される。ユーザ装置に、リソース割当において提供された制御チャネルであって、当該ユーザ装置に対して最良のチャネル品質であることが示された制御チャネルを有する試みをさせるようにしてもよい。これにより、制御チャネルの復号の遅延が削減されるとともに、ユーザ装置によって正しく復号される可能性が高まる。
【００１８】
一実施形態において、不連続な局在化したリソース割当のそれぞれは、ある数の隣接するリソースブロックを有している。
【００１９】
ある実施形態において、通信システムは、セルラー通信システムのような通信システムを有するとともに、ユーザ装置は、携帯電話であってもよいし、携帯電話を有していてもよい。
【００２０】
本発明によって、上記アスペクトのいずれかの方法を実行するように構成された基地局が提供される。
【００２１】
本発明によって、各ユーザ装置に複数のリソース割当が割当てられる移動通信システムにおいて、リソース割当情報を取得する方法であって、ユーザ装置は、該ユーザ装置に割り当てられたリソース割当の一のリソース割当に関するリソース割当情報を、基地局から送信された制御チャネルから決定するとともに、該ユーザ装置に割当てられた少なくとも１つの他のリソース割当に関するリソース割当情報を、該ユーザ装置が、該一のリソース割当におけるデータチャネルから決定する方法が提供される。本発明によって、かかる方法を実行するユーザ装置も提供される。
【００２２】
本発明のこれらのアスペクト及びさまざまな他のアスペクトは、単なる例として与えられるとともに、添付図面を参照して記載される、実施形態に対する以下の詳細な説明から明らかとなる。
【図面の簡単な説明】
【００２３】
【図１】電話網に接続された基地局と通信する、いくつかのユーザ携帯電話を含む通信システムを概略的に示す図である。
【図２】図１に示した基地局の主要な構成要素を示すブロック図である。
【図３】図１に示した携帯電話の１つの主要な構成要素を示すブロック図である。
【図４】下りリンクのリソース割当を伝達する本発明の第１の伝達方法を示す図であって、スケジュールされたリソースブロックに含まれる、リンクされた不連続な割当の伝達を示す。
【図５】下りリンクのリソース割当を伝達する本発明の第２の伝達方法を示す図であって、スケジュールされたリソースブロックに含まれる、連結された不連続なリソース割当の伝達を示す。
【図６】図６（Ａ）は、本発明の第１乃至第３の方法と５ＭＨｚ帯域幅のビットマップ法とを比較するために、伝達情報ビットのオーバヘッドの見積りに対する伝達情報ビットの数のグラフ、すなわち５ＭＨｚ帯域幅に対する伝達情報ビットのオーバヘッドの見積りを示す。図６（Ｂ）は、本発明の第１乃至第３の方法と２０ＭＨｚ帯域幅のビットマップ法とを比較するために、伝達情報ビットのオーバヘッドの見積りに対する伝達情報ビットの数のグラフ、すなわち、２０ＭＨｚ帯域幅に対する伝達情報ビットのオーバヘッドの見積りを示す。
【図７】図７乃至１０は、下りリンクのリソース割当を伝達する本発明の他の方法を説明するための図であって、図７は、共有制御チャネルが最良のＣＱＩを有するＲＢにおいて送信されることを示し、割当情報は最良のＣＱＩを有する共有データチャネルＲＢに位置することを示し、矢印（→）はＵＥにおける復号が成功する可能性を最大化することを示す。
【図８】共有制御チャネルは左詰めであることを示し、割当情報は最良のＣＱＩを有する共有データチャネルＲＢに位置することを示し、ＵＥは左から復号することから、矢印（→）は共有制御チャネルの復号の遅延を最小化することを示す。
【図９】共有制御チャネルは左詰めであるものの、ＵＥはユーザにとって最良のＣＱＩ有するＲＢにおいて各ＵＥの共有制御チャネルを送信するように試みるように命じられることを示し、割当情報は最良のＣＱＩを有する共有データチャネルＲＢにおいて提供されることを示し、矢印（→）は正しく復号する可能性を最大化するように試みつつ、共有制御チャネルの復号の遅れを最小化することを示す。
【図１０】共有制御チャネルと共有データチャネルとを、時間領域の代わりに周波数領域において多重化しうることを示す。
【発明を実施するための形態】
【００２４】
本発明を実施するための好ましいアスペクト及びモード（形態）を以下に開示する。
【００２５】
（アスペクト１）
各ユーザ装置に複数のリソース割当が割り当てられる移動通信システムにおいて、複数のユーザ装置に通信リソース割当情報を伝達する方法であって、
各ユーザ装置に対して、該ユーザ装置に割り当てられたリソース割当のうちの一のリソース割当に関するリソース割当情報を、制御チャネルを介して提供し、
該ユーザ装置に割当てられた少なくとも１つの他のリソース割当に関するリソース割当情報を、該一のリソース割当におけるデータチャネルを介して提供する方法が提供される。（モード１）
【００２６】
各ユーザ装置に対して、該ユーザ装置に割当てられた第１のリソース割当を前記一のリソース割当として選択してもよい。（モード１−１）
【００２７】
各ユーザ装置に対して、該ユーザ装置に割当てられたリソース割当であって最良のチャネル品質インジケータを有するものを前記一のリソース割当として選択してもよい。（モード１−２）
【００２８】
各ユーザ装置に対して、該ユーザ装置に割当てられた他のリソース割当に関するリソース割当情報を、前記一のリソース割当におけるデータチャネルを介して提供してもよい。（モード１−３）
【００２９】
各ユーザ装置に対して、先行するリソース割当のデータチャネルを介して、後続のリソース割当に関するリソース割当情報を提供してもよい。（モード１−４）
【００３０】
各ユーザ装置に対して、該ユーザ装置に割当てられた第１のリソース割当を前記一のリソース割当として選択し、その次のリソース割当に関するリソース割当情報を該第１のリソース割当におけるデータチャネルを介して提供してもよい。（モード１−５）
【００３１】
各ユーザ装置に対して、該ユーザ装置に割当てられた第１のリソース割当を前記一のリソース割当として選択し、後続のさらなるリソース割当のそれぞれに関するリソース割当情報を、該後続のさらなるリソース割当に先行するリソース割当におけるデータチャネルを介して提供してもよい。（モード１−６）
【００３２】
各ユーザ装置に対して、該ユーザ装置に割当てられた第１のリソース割当を前記一のリソース割当として選択し、後続のさらなるリソース割当のそれぞれに関するリソース割当情報を、前記一のリソース割当におけるデータチャネルを介して提供してもよい。（モード１−７）
【００３３】
後続のさらなるリソース割当のそれぞれに関するリソース割当情報のサイズと、該ユーザ装置に割当てられたリソース割当の数とのうちの少なくとも一つを示すデータを、リソース割当情報とともに、前記制御チャネルを介して提供してもよい。（モード１−８）
【００３４】
追加のリソース割当の有無を示すデータを、リソース割当情報とともに提供してもよい。（モード１−９）
【００３５】
各ユーザ装置に対して、該ユーザ装置であって最良のチャネル品質を有することが示されたものに割当てられたリソース割当を、前記一のリソース割当として選択し、該ユーザ装置に割当てられた他のリソース割当に関するリソース割当情報を、前記一のリソース割当におけるデータチャネルを介して提供してもよい。（モード１−１０）
【００３６】
モード１−３、１−６、１−７又は１−１０の方法において、リソース割当情報の提供がなされる他のリソース割当の数に依存して、ＲＦＩフィールドのリストとして又はビットマップとして、前記一のリソース割当におけるデータチャネルを介して、リソース割当情報を提供してもよい。（モード１−１１）
【００３７】
モード１−１１による方法において、前記制御チャネルは、リソース割当情報の提供がなされる他のリソース割当の数と、リソース割当情報がＲＦＩフィールドのリストとして提供されるか又はビットマップとして提供されるかと、を特定するインジケータを有していてもよい。（モード１−１２）
【００３８】
上記モードのいずれかの方法において、最良のチャネル品質インジケータを有するリソース割当において、前記制御チャネルを送信してもよい。（モード１−１３）
【００３９】
上記モード１乃至１−１２のいずれかの方法において、対応するユーザ装置のためのスケジューリング情報を各々含む複数の制御チャネルがあるか、又は単一の合同符号化制御チャネル若しくは複数の合同符号化制御チャネルがあってもよい。（モード１−１４）
【００４０】
上記モード１乃至１−１２のいずれかの方法において、対応するユーザ装置のためのスケジューリング情報を各々含む複数の制御チャネルがあり、該対応するユーザ装置に割当てられた第１のリソース割当において、各制御チャネルを送信してもよい。（モード１−１５）
【００４１】
上記モード１乃至１−１２のいずれかの方法において、対応するユーザ装置のためのスケジューリング情報を各々含む複数の制御チャネルがあり、該対応するユーザ装置であって最良のチャネル品質インジケータを有するものに割当てられたリソース割当において、各制御チャネルを送信してもよい。（モード１−１６）
【００４２】
上記モード１乃至１−１２のいずれかの方法において、対応するユーザ装置のためのスケジューリング情報を各々含む複数の制御チャネルがあり、該対応するユーザ装置の前記一のリソース割当において、各制御チャネルを送信してもよい。（モード１−１７）
【００４３】
上記モード１乃至１−１２のいずれかの方法において、対応するユーザ装置のためのスケジューリング情報を各々含む複数の制御チャネルがあり、連続するリソース割当列において、該制御チャネルを送信してもよい。（モード１−１８）
【００４４】
上記モード１乃至１−１２のいずれかの方法において、対応するユーザ装置のためのスケジューリング情報を各々含む複数の制御チャネルがあり、連続するリソース割当列において、該制御チャネルを送信してもよい。（モード１−１９）
【００４５】
上記モード１−１６乃至１−１８のいずれかの方法において、連続するリソース割当列において前記制御チャネルを送信し、各ユーザ装置に、前記リソース割当であって該ユーザ装置に対して最良のチャネル品質を有することが示されたリソース割当において、その制御チャネルを転送する試みをさせてもよい。（モード１−２０）
【００４６】
上記いずれかのモードの方法において、前記ユーザ装置が受信データを復調することができるようにするための復調情報を、リソース割当情報とともに、制御チャネルを介して、さらに提供してもよい。（モード１−２１）
【００４７】
上記モード１乃至１−２０のいずれかの方法において、前記ユーザ装置に対する追加のリソース割当の有無を示すデータを含む制御伝達指示において、前記リソース割当情報を提供してもよい。（モード１−２２）
【００４８】
（アスペクト２）
移動通信システムにおいてユーザ装置に通信リソース割当情報を伝達する方法であって、
各ユーザ装置は、複数の不連続な局在化したリソース割当であって、データ及び制御情報がデータチャネル及び制御チャネルにおいて該ユーザ装置に伝達されるリソース割当を割当てられ、
各ユーザ装置に対して、該ユーザ装置に割当てられた第１のリソース割当に関するリソース割当情報を、制御チャネルを介して提供し、
該ユーザ装置に割当てられた後続のリソース割当のそれぞれに関するリソース割当情報を、先行するリソース割当におけるデータチャネルを介して提供する方法が提供される。（モード２）
【００４９】
モード２の方法において、当該ユーザ装置に対する追加のリソース割当の有無を示すデータを、前記リソース割当情報とともに提供してもよい。（モード２−１）
【００５０】
（アスペクト３）
移動通信システムにおいてユーザ装置に通信リソース割当情報を伝達する方法であって、
所定の送信時間間隔（ＴＴＩ）において、各ユーザ装置は、複数の不連続な局在化したリソース割当であって、データ及び制御情報がデータチャネル及び制御チャネルにおいて当該ユーザ装置に伝達されるリソース割当を割当てられ、
各ユーザ装置に対して、該ユーザ装置に割当てられる第１のリソース割当に関するリソース割当情報を、制御チャネルを介して提供し、
該ユーザ装置に割当てられた前記の又は各別のさらなるリソース割当に関するリソース割当情報を、該第１のリソース割当におけるデータチャネルを介して提供する方法が提供される。（モード３）
【００５１】
モード２の方法において、前記制御チャネルを介して提供されたリソース割当情報は、前記ユーザ装置に割当てられたリソース割当のサイズと数とのうちの少なくとも１つに関するリソース割当情報を含んでいてもよい。（モード３−１）
【００５２】
（アスペクト４）
移動通信システムにおいてユーザ装置に通信リソース割当情報を伝達する方法であって、
所定の送信時間間隔（ＴＴＩ）において、各ユーザ装置は、複数の不連続な局在化したリソース割当であって、データ及び制御情報がデータチャネル及び制御チャネルにおいて該ユーザ装置に伝達されるリソース割当を割り当てられ、
各ユーザ装置に対して、最良のチャネル品質インジケータを有するユーザ装置に割当てられたリソース割当に関するリソース割当情報を、制御チャネルを介して提供し、
該ユーザ装置に割当てられた前記の又は各別のリソース割当に関するリソース割当情報を、最良のチャネル品質インジケータを有するリソース割当におけるデータチャネルを介して提供する方法が提供される。（モード４）
【００５３】
モード４の方法において、各ユーザ装置に対して、最良のチャネル品質のインジケータを有するリソース割当において、前記制御チャネルを提供してもよい。（モード４−１）
【００５４】
モード４の方法において、それぞれの制御チャネルを、連続するリソース割当において提供してもよい。（モード４−２）
【００５５】
モード４の方法において、それぞれの制御チャネルを、連続するリソース割当中において提供し、各ユーザ装置に、当該ユーザ装置に対して最良のチャネル品質を有することが示されたリソース割当において、その制御チャネルを転送する試みをさせてもよい。（モード４−３）
【００５６】
モード３乃至モード４のいずれかの方法において、リソース割当情報の提供がなされる他のリソース割当の数に依存して、ＲＦＩフィールドのリストとして又はビットマップとして、前記一のリソース割当におけるデータチャネルを介して、リソース割当情報を提供してもよい。（モード４−４）
【００５７】
モード３又は４の方法において、前記制御チャネルは、リソース割当情報の提供がなされる他のリソース割当の数と、リソース割当情報がＲＦＩフィールドのリストとして提供されるか又はビットマップとして提供されるかと、を特定するインジケータを有していてもよい。（モード４−５）
【００５８】
上記のいずれかのモードにおいて、不連続な局在化したリソース割当のそれぞれは、所定の数の隣接するリソースブロックを有していてもよい。（モード４−６）
【００５９】
上記のいずれかのモードにおいて、前記通信システムは複数のサブバンドを用い、各サブバンドはサブキャリアを有し、サブキャリア割当に対するリソース割当情報を各サブバンドにおいて生成してもよい。（モード４−７）
【００６０】
上記のいずれかのモードにおいて、制御チャネル及びデータチャネルは、時分割多重化によって分離されるようにしてもよい。（モード４―８）
【００６１】
モード１乃至モード４−７のいずれかの方法において、制御チャネル及びデータチャネルは、周波数分割多重化によって分離されるようにしてもよい。（モード４−９）
【００６２】
上記いずれかのモードの方法において、ユーザ装置は携帯電話であってもよい。（モード４−１０）
【００６３】
（アスペクト５）
上記いずれかのモードの方法を実行するように構成された基地局が提供される。（モード５）
【００６４】
（アスペクト６）
各ユーザ装置に複数のリソース割当が割り当てられる移動通信システムにおいて、複数のユーザ装置に通信リソース割当情報を伝達する基地局であって、
各ユーザ装置に対して、該ユーザ装置に割り当てられたリソース割当のうちの一のリソース割当に関するリソース割当情報を、制御チャネルを介して提供し、
該ユーザ装置に割り当てられた少なくとも１つの他のリソース割当に関するリソース割当情報を、該一のリソース割当におけるデータチャネルを介して提供するように動作するリソース割当モジュールを有する基地局が提供される。（モード６）
【００６５】
（アスペクト７）
各ユーザ装置に複数のリソース割当が割り当てられる移動通信システムにおいて、複数のユーザ装置に通信リソース割当情報を伝達する基地局であって、
ユーザ装置に割り当てられたリソース割当の１つに関するリソース割当情報を、制御チャネルを介して提供する手段と、
当該ユーザ装置に割り当てられた少なくとも１つの他のリソース割当に関するリソース割当情報を、該一のリソース割当におけるデータチャネルを介して提供する手段と、を備えている基地局が提供される。（モード７）
【００６６】
（アスペクト８）
各ユーザ装置に複数のリソース割当が割り当てられる移動通信システムにおいて、複数のユーザ装置に通信リソース割当情報を伝達する基地局であって、
各ユーザ装置に対して、該ユーザ装置に割り当てられたリソース割当の１つに関するリソース割当情報を、制御チャネルを介して提供するとともに、該ユーザ装置に割当てられた他のリソース割当のそれぞれに関するリソース割当情報を、該一のリソース割当におけるデータチャネルを介してビットマップとして提供するように動作するリソース割当モジュールを有する基地局が提供される。（モード８）
【００６７】
（アスペクト９）
各ユーザ装置に複数のリソース割当が割当てられる移動通信システムにおいて、リソース割当情報を取得する方法であって、
ユーザ装置は、該ユーザ装置に割り当てられたリソース割当の一のリソース割当に関するリソース割当情報を、基地局から送信された制御チャネルから決定するとともに、該ユーザ装置に割当てられた少なくとも１つの他のリソース割当に関するリソース割当情報を、該ユーザ装置が、該一のリソース割当におけるデータチャネルから決定する方法が提供される。（モード９）
【００６８】
モード９の方法において、前記ユーザ装置は、自身に割り当てられた第１のリソース割当のデータチャネルから、少なくとも１つの他のリソース割当に関するリソース割当情報を決定してもよい。（モード９−１）
【００６９】
モード９の方法において、前記ユーザ装置は、最良のチャネル品質のインジケータを有するユーザ装置に割り当てられたリソース割当のデータチャネルから、少なくとも１つの他のリソース割当に関するリソース割当情報を決定してもよい。（モード９−２）
【００７０】
モード９、９−１又は９−２の方法において、前記ユーザ装置は、前記一のリソース割当のデータチャネルから、自身に割り当てられた他のリソース割当に関するリソース割当情報を決定してもよい。（モード９−３）
【００７１】
モード９乃至９−２の方法において、リソース割当情報は、前記一のリソース割当のデータチャネルを介して、ＲＦＩフィールドのリスト又はビットマップとして提供されるようにしてもよい。（モード９−４）
【００７２】
モード９−４の方法において、制御チャネルは、リソース割当情報の提供がなされる他のリソース割当の数と、該リソース割当情報がＲＦＩフィールドのリストとして提供されるか又はビットマップとして提供されるかと、を特定するインジケータを有していてもよい。（モード９−５）
【００７３】
モード１乃至９−３の方法において、ユーザ装置は、先行するリソース割当のデータチャネルに含まれる情報から、後続のリソース割当に関するリソース割当情報を決定してもよい。（モード９−６）
【００７４】
（アスペクト１０）
モード５、６、７又は８のいずれかの基地局と通信するように動作するとともに、モード９乃至９−６のいずれかの方法を実行するように動作するユーザ装置が提供される。（モード１０）
【００７５】
（アスペクト１１）
各ユーザ装置に複数のリソース割当が割当てられる遠隔通信システムにおいて用いられるユーザ装置であって、
前記ユーザ装置に割り当てられたリソース割当の一のリソース割当に関するリソース割当情報を、基地局から送信された制御チャネルから決定するように動作するとともに、
前記ユーザ装置に割り当てられた少なくとも１つの他のリソース割当に関するリソース割当情報を、前記一のリソース割当におけるデータチャネルから決定するように動作する、リソース割当モジュールを備えているユーザ装置が提供される。（モード１１）
【００７６】
（アスペクト１２）
各ユーザ装置に複数のリソース割当が割り当てられる移動通信システムにおいて用いられるユーザ装置であって、
前記ユーザ装置に割り当てられた一のリソース割当に関するリソース割当情報を、基地局から送信された制御チャネルから決定する手段と、
前記ユーザ装置に割り当てられた少なくとも１つの他のリソース割当に関するリソース割当情報を、前記一のリソース割当におけるデータチャネルから決定する手段と、を備えているユーザ装置が提供される。（モード１２）
【００７７】
（アスペクト１３）
各ユーザ装置に複数のリソース割当が割当てられる移動通信システムにおいて用いられるユーザ装置であって、
前記ユーザ装置に割り当てられた一のリソース割当に関するリソース割当情報を、基地局によって送信された制御チャネルから決定するように動作するとともに、
前記ユーザ装置に割り当てられた少なくとも１つの他のリソース割当に関するリソース割当情報を、前記一のリソース割当におけるデータチャネルのＲＦＩフィールドのリスト又はビットマップから決定するように動作するリソース割当モジュールを備えているユーザ装置が提供される。（モード１３）
【００７８】
モード１０乃至１３のユーザ装置は、携帯電話であってもよい。（モード１０−１）
【００７９】
（アスペクト１４）
上記いずれかのモードの方法を実行するプログラマブルデバイスをプログラムするためのコンピュータに実装可能な命令が提供される。（モード１４）
【００８０】
（アスペクト１５）
上記いずれかの方法を実行するプログラマブルデバイスをプログラムするためのコンピュータに実装可能な命令を含む信号が提供される。（モード１５）
【００８１】
（アスペクト１６）
モード１４のコンピュータに実装可能な命令を記録した、コンピュータ読み取り可能な記録媒体が提供される。（モード１６）
【００８２】
概観
図１は、移動（セルラー）通信システム１を示し、携帯電話（セルフォン）ＵＥ１、ＵＥ２、ＵＥｎとしてのユーザ装置のユーザは、基地局５及び電話網７を介して、他のユーザ（非図示）と通信することができる。この実施形態において、基地局５は、携帯電話ＵＥに送信されるデータを複数のサブキャリアによって変調する直交周波数分割多重アクセス（ＯＦＤＭＡ）技術を使用する。それぞれの異なるサブキャリアは、各携帯電話ＵＥのサポートする帯域幅及び各携帯電話ＵＥに送信されるデータ量に依存して、各携帯電話ＵＥに割り当てられる。本実施形態においては、基地局５は、基地局の帯域幅に亘って携帯電話ＵＥの一様な分布を保つように試みるために、それぞれの携帯電話ＵＥにデータを搬送するために用いるサブキャリアを割り当てる。これらの目標を達成するために、基地局５は、各携帯電話ＵＥにダイナミックにサブキャリアを割当て、スケジュールされた各携帯電話ＵＥに、各時点（ＴＴＩ）ごとのリソース割当を伝達する。
【００８３】
各サブバンド内のスケジューリングの決定を各携帯電話ＵＥに知らせるために、各携帯電話ＵＥに情報を伝達しなければならない。伝達すべき情報には次のものが含まれる。
（i）（下りリンクの通信及び上りリンクの通信の双方に対する）リソースブロック割当情報
（ii）下りリンクに対するリソースブロック復調情報
（iii）上りリンクに対するリソースブロック復調情報
（iv）上りリンクの送信に対するＡＣＫ／ＮＡＣＫ
（v）タイミング制御ビット
【００８４】
本発明は、上記のビットマップ法を用いた場合と比較して、ほとんどの場合において、より少ない数のビット（より低いビットオーバヘッド）を要する、下りリンクのリソース割当の伝達方法を提供する。
【００８５】
基地局
図２は、本実施形態において用いられる基地局５の主要な構成を示すブロック図である。図示したように、基地局５は送受信（トランシーバ）回路２１を有し、この送受信回路は、（上記のサブキャリアを用いて）１又は２以上のアンテナ２３を介して、携帯電話ＵＥに信号を送信するとともに携帯電話ＵＥから信号を受信し、ネットワークインタフェース２５を介して、電話網７に信号を送信するとともに電話網７から信号を受信する。送受信回路２１の動作は、メモリ２９に記録されたソフトウエアに応じてコントローラ２７によって制御される。特に、ソフトウエアは、オペレーティングシステム３１及びリソース割当モジュール３３を有する。リソース割当モジュール３３は、携帯電話ＵＥとの通信において送受信回路２１が用いるサブキャリアを割り当てるように動作する。図２に示すように、リソース割当モジュール３３は、エンコーダモジュール３５も有し、このエンコーダモジュールは、割当を効率的な表現（ｒｅｐｒｅｓｅｎｔａｔｉｏｎ）に符号化（エンコード）し、その表現（表示）は、各携帯電話ＵＥに伝達される。用いられるリソース割当の方法は、複数の不連続な局在化した割当を各携帯電話ＵＥに割当てる方法であって各局在化した割当がある数の隣接する（ｃｏｎｔｉｇｕｏｕｓ）リソースブロックであるような不連続な局在化した割当単位による方法であってもよいし、複数の不連続な物理リソースブロックを携帯電話ＵＥに割り当てる分散したチャンク割当による方法であってもよい。
【００８６】
携帯電話
図３は、図１に示した各携帯電話ＵＥの主な構成を概略的に示す。図示したように、各携帯電話ＵＥは、１又は２以上のアンテナ７３を介して基地局５に信号を送信するとともに基地局５から信号を受信するように動作する送受信回路７１を有する。図示したように、携帯電話ＵＥは、コントローラ７５も有し、このコントローラ７５は、携帯電話ＵＥの動作を制御するとともに、送受信回路７１、ラウドスピーカ７７、マイクロフォン７９、ディスプレイ８１及びキーパッド８３に接続されている。コントローラ７５は、メモリ８５に記録されたソフトウエアの命令に応じて動作する。図示したように、特に、これらのソフトウエアの命令は、オペレーティングシステム８７及び通信モジュール（リソース割当モジュール）８９を有する。本実施形態において、通信モジュール８９は、デコーダモジュール９１を有し、このデコーダモジュールは、現時点においての携帯電話のサブキャリアの割当てを決定するために、基地局５から伝達されたリソース割当を復号するように動作する。
【実施例１】
【００８７】
下りリンクのリソース割当を伝達する本発明の第１の方法を、図４を参照して説明する。図４は、周波数分割多重化されたリソースブロックＲＢのＴＴＩ５０の一部を示す図であって、携帯電話によって監視される固定サイズの共有制御チャネルセット５１、及び、共有データチャネル５２を有する。
【００８８】
図４は、携帯電話ＵＥ１−ＵＥｎに対する下りリンクのリソース割当を示す。この図は、個別に符号化された制御チャネルの場合を示すとともに、携帯電話ＵＥ１は３つの不連続な局在化したリソースブロック割当ＲＢ１、ＲＢ３及びＲＢ５上においてデータを受信するようにスケジュールされた例を示す。ここでは、下りリンクＬ１／Ｌ２の制御チャネルに対する多重化スキームは何ら提案するものではない。
【００８９】
図示したように、リソース割当モジュール３３は、この例において、共有（共通）データチャネルのリソースブロックＲＢ１、ＲＢ３、ＲＢ５を携帯電話ＵＥ１に、リソースブロックＲＢ２を携帯電話ＵＥ２に、リソースブロックＲＢ４を携帯電話ＵＥ３に、リソースブロックＲＢｎを携帯電話ＵＥｎに割当てている。この例においては、リソース割当モジュール３３は、携帯電話ＵＥ１〜ＵＥ４及びＵＥｎのための制御チャネルＬ１〜Ｌ４及びＬｎを、これらの携帯電話に割当てられた第１のリソースブロック（すなわち、図示した例における、リソースブロックＲＢ１、ＲＢ２、ＲＢ３、ＲＢ４及びＲＢｎ）を介して送信させる。これは単に一例にすぎず、他のリソース割当も可能であることは勿論である。
【００９０】
各携帯電話ＵＥは、第１の局在化した集合に対するリソース割当のみを示す固定サイズの共有制御チャネル５１の集合を監視する。同じＴＴＩ内の後続の局在化した割当に関する情報は、現在の割当のリソースブロック内において提供される。
【００９１】
したがって、本実施形態においては、基地局５のリソース割当モジュール３３は、あるＴＴＩに対する下りリンクのリソース割当を示す情報の所在（ロケーション）を制御するように構成され、各制御チャネルＬ１−Ｌｎは、対応する携帯電話に割り当てられた第１のリソースブロックのみに対するリソース割当情報を含み、その携帯電話に割り当てられる次の（第２の）リソースブロックを識別するリソース割当情報は、現在の割当の第１のリソースブロックにおいて提供され、第３のリソースブロックの情報は第２のリソースブロックにおいて提供される、等々となる。これにより、制御チャネルにおいて送信すべきデータ量が削減される。
【００９２】
したがって、図４に示した例において、携帯電話ＵＥ１に対する第１リソースブロックＲＢ１を識別する情報Ｉ１は、共有（共通）制御チャネル５１において提供されるものの、第２の下りリンクリソース割当又は携帯電話ＵＥ１に対するリソースブロックを示す情報Ｉ２は、第１のリソースブロックＲＢ１において提供され、第３の下りリンクリソース割当を表す情報Ｉ３は、第１のリソースブロックＲＢ３において提供される。携帯電話ＵＥ１に対して、３つのリソースブロックＲＢ１、ＲＢ３及びＲＢ５のみを示したが、後続のリソースブロックについても同様であり、あるＴＴＩ及びある携帯電話に対して、第１のリソースブロックのためのリソース割当情報は、共有制御チャネルにおいて提供され、後続のリソースブロックのそれぞれに対するリソース割当情報は直前のリソースブロックにおいて提供される。
【００９３】
下りリンクリソース割当情報は、隣接する割当を伝達するための最適化ツリーに基いた方法を用いることによって伝達することができ、この方法は、ＲＩ−０６２７７３−ＮＥＣグループ、ＮＴＴＤｏＣｏＭｏ−「ＥＵＴＲＡのための上りリンクリソース割当」（http://www.3gpp.org/ftp/tsg_ran/WG1_RL1/TSGR1_46bis/Docs/において入手可能である）、及び英国特許出願Ｎｏ．０６０５５８１．８(我々の参照番号はＰ２８９５２ＧＢ)において記載され、これらの全開示は、引用によって本願の一部とされる。３ＧＰＰにおいて現在作業中の仮定によると、１０ＭＨｚの帯域幅内に５０のリソースブロックがあり、それにより、上記の文献及び英国特許出願Ｎｏ．０６０５５８１．８において提案されたツリーによる伝達方法を用いて、共有制御チャネルにおいて１１ビットのリソース割当が得られる。
【００９４】
リソース割当情報に加えて、共有制御チャネル５１は、スケジュールされたデータブロック内に後続の追加の不連続なリソースがあるかないかを表す、インジケータ又は「フォローアップ」ビットを含んでいる必要ある。共有制御チャネルＬ１、Ｌ２、Ｌ３又はＬ４内のＵＥ−ＩＤに続く１２ビット長のストリング（１０ＭＨｚのＵＥの能力を想定）は、第１の割当リソースブロックと、同じＴＴＩ内における追加のリソースの存在の表示とに関する情報を収納するのに十分である。
【００９５】
１１ビットのリソース割当情報と「フォローアップ」ビットとをあわせたもの（合計１２ビット）は、共有制御チャネルＬ１、Ｌ２、Ｌ３又はＬ４において「制御ＲＦＩ」と呼ぶことができ、ＲＦＩはリソースフォーマットインジケータ（Ｒｅｓｏｕｒｃｅ  Ｆｏｒｍａｔ  Ｉｎｄｉｃａｔｏｒ)である。共有制御チャネルＬ１、Ｌ２、Ｌ３又はＬ４は、携帯電話ＵＥがデータを正確に復調することができるように、データに対するトランスポートフォーマットインジケータ（Ｔｒａｎｓｐｏｒｔ  Ｆｏｒｍａｔ  Ｉｎｄｉｃａｔｏｒ)も伝達する。
【００９６】
この例においては、追加の又はリンクされたリソース割当がある場合には、リソース割当モジュール３３は、共有制御チャネルの制御ＲＦＩにおける「フォローアップ」ビットとして１を設定し、追加の又はリンクされたリソース割当があることを携帯電話ＵＥに示唆する（ゼロが少なくとも１つの余分のリソースブロックの存在を示唆する逆の取決めをしてもよいものと解されたい）。この例において、共有制御チャネルの制御ＲＦＩにおける「フォローアップ」ビットが１であれば、携帯電話ＵＥへのリンクされたリソース割当が示唆され、携帯電話は、第１の局在化した割当ブロックにおいて、追加の制御ＲＦＩを予期するように注意を喚起され、「フォローアップ」ビットが０であれば、その逆である。
【００９７】
同様にして、さらなるリンクされたリソース割当（データ及び制御ＲＦＩ（存在するならば））があるならば、リソース割当モジュール３３は、第１の局在化した割当リソースブロックの制御ＲＦＩにおける「フォローアップ」ビットを１に設定する。例えば、図４に示した例において、リソース割当モジュール３３は、リンクされたリソース割当ＲＢ３があることを携帯電話ＵＥ１に示唆するために、リソースブロックＲＢ１の制御ＲＦＩ  Ｉ２における「フォローアップ」ビットを設定し、リソース割当ＲＢ５としてのリンクされたリソース割当があることを携帯電話ＵＥ１に示唆するために、リソースブロックＲＢ３の制御ＲＦＩ  Ｉ３における「フォローアップ」ビットを設定する、等々である。この示唆の方法は、ＴＴＩ内の最後の局在化した割当に到達するまで進行し、そのリソースブロックは、勿論、「フォローアップ」ビットとして０を有することになり、このことは、現在のＴＴＩにおいて、その携帯電話に対する局在化した割当がそれ以上ないことを示す。
【００９８】
ここに提案されたメカニズムは、ビットマップ法と比較していくつかの利点を有する。
携帯電話ＵＥに割当てられたリソースブロックは、ＣＱＩ（チャネル品質インジケータ（Ｃｈａｎｎｅｌ  Ｑｕａｌｉｔｙ  Ｉｎｄｉｃａｔｏｒ））リポートに基くものであって、携帯電話ＵＥにおいて最良の受信品質を有するものであることから、同じリソースブロック内に制御情報を設けることによって、制御情報が正しく復調される可能性が高まる。
【００９９】
制御チャネルとして個別に符号化された制御チャネルを仮定すると、携帯電話ＵＥは、各チャネルが帯域幅の特定の部分に亘ってリソース割当情報を提供し得る多重チャネルとは異なり、全帯域幅に亘って自身のリソース割当を解読するために単一の制御チャネルを読み取る必要がある。制御チャネル内のリソース割当パターンにおけるビットの数によって制御チャネルの大きさが決まることから、個々の制御チャネルはみな同じ大きさである。このことは、携帯電話ＵＥが何らかのビットパターン又はブラインド検出（Ｂｌｉｎｄ  Ｄｅｔｅｃｔｉｏｎ）法によって制御チャネルの境界を検出する必要がないことを意味する。多重制御チャネルが携帯電話ＵＥにリソース割当情報を提供する場合と異なり、携帯電話ＵＥが１つの制御チャネル内において自身のＩＤを検出すると、直ちに、別の制御チャネルを読み取るのを停止することができるため、携帯電話ＵＥに対するバッファ要求も削減することができる。
【０１００】
１０ＭＨｚのＵＥの能力を仮定するとともに、制御伝達が１０ＭＨｚの全帯域に亘るリソース割当を示すものと仮定すると、（各制御ＲＦＩ当り１２ビットとして）単一の５０ビットのビットマップより少ない全リソース要求によって、４つまでの不連続な局在化したリソース割当をサポートすることができる。一方、より狭い帯域幅を単位として各割当てを行う場合には、全ビットオーバヘッドをさらに削減することができる（例えば、上記の文書Ｒ１−０６２７７３−ＮＥＣグループ、ＮＴＴＤｏＣｏＭｏ−「ＥＵＴＲＡのための上りリンクリソース割当（Ｕｐｌｉｎｋ  Ｒｅｓｏｕｒｃｅ  Ａｌｌｏｃａｔｉｏｎ  ｆｏｒ  ＥＵＴＲＡ）」、及び、英国特許出願Ｎｏ．０６０５５８１．８において議論されているように、２．５ＭＨｚに亘るリソース割当は７ビット必要とするが、このことは、全１０ＭＨｚの帯域幅に亘ってリソース割当を指示するには２８ビットが使用され得ることを意味している）。
【０１０１】
制御チャネルを搬送するために取っておかれたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（おそらく第１及び第２のＯＦＤＭシンボル）は、全てのリソース割当情報を含んでいるわけではないことから、これらのリソース内においての携帯電話ＵＥ当りのオーバヘッドは削減され、これにより、制御リソース内において、より多くの携帯電話ＵＥを多重化することができることになる。
【０１０２】
第１の局在化した割当におけるデータ及び制御ＲＦＩ（存在するならば）は、より大きい符号化利得を達成するために、一緒に符号化してもよい。しかし、制御部に対するＨＡＲＱ（Ｈｙｂｒｉｄ  Ａｕｔｏｍａｔｉｃ  Ｒｅｐｅａｔ  ｒｅＱｕｅｓｔ）再送信はないことから、セルの端部における確実な検出のために、制御ＲＦＩは別個に符号化することが望ましい。
【０１０３】
ＲＦＩの大きさの推定
このセクションにおいて、不連続な局在化したリソースブロックのそれぞれにおけるＲＦＩのリソース占有度を定量化するため、個別のＲＦＩの大きさの推定について説明する。
【０１０４】
上述のように、制御ＲＦＩは１２ビット（１１ビットのリソース割当と１ビットの「フォローアップ」）であり、これは、８ビットのＣＲＣで保護し、１/３コードで符号化した場合には、ＱＰＳＫ変調とすると３０サブキャリアを占有する。携帯電話ＵＥが良好なチャネル状態を有するリソースブロック上にサブキャリアが存在することから、制御情報を搬送するためにより高い次数の変調を用いても良い。これによって、制御情報を送信するために用いるサブキャリアがさらに削減される。制御情報を搬送するサブキャリアの時間-周波数平面への厳密なマッピングはここでは明確にせず、別途議論する。
【０１０５】
他の変形例
他の変形例において、後続の全ての制御ＲＦＩは結合されるとともに、第１の不連続な局在化したリソース割当又は最良のＣＱＩ、すなわち、最良のチャネル状態のリソース割当に含められる。この方法の潜在的な利点は、不連続な局在化した割当の制御ＲＦＩをすべて連結（ないし連鎮）することによって符号化利得が高くなることにある。しかし、あるＴＴＩにおける制御ＲＦＩの数は動的であって、スケジューラによってユーザに割り当てられた不連続な局在化した割当の数に依存することから、連結された制御ＲＦＩの大きさを表すために、主要な共有制御チャネル内に追加のフィールドが必要とされる。例えば、５ＭＨｚ及び２０ＭＨｚの帯域について、３個及び７個までの不連続な局在化した割当を表すには、主要な共有制御チャネルにおける２ビット及び３ビットで十分である。この場合、「フォローアップ」ビットは不要である。この２ビットのフィールドは、制御ＲＦＩとともに、データチャネルに設けてもよい。
【実施例２】
【０１０６】
下りリンクのリソース割当を伝達する本発明の第２の方法が図５を参照しつつ説明され、図５は、図４と同様に、携帯電話ＵＥ１〜ＵＥｎによって監視される共有（共通）データチャネル５２及び固定サイズの共有（共有）制御チャネルＬ１−Ｌ４からなる対応する集合５１を提供するリソースブロックＲＢを有するＴＴＩ５０の一部を示す図である。図５に示した方法において、基地局５のリソース割当モジュール３３は、各携帯電話について、第１のリソースブロック（図５においてはＵＥ１に対するブロックＲＢ１）に対する制御ＲＦＩに後続する制御ＲＦＩをすべて結合させて第１の局在化したリソース割当、すなわち、第１のリソースブロックに含めるように構成されている。図５に示した例において、携帯電話ＵＥ１に対して、第１のリソースブロックＲＢ１は、第１リソースブロックの制御ＲＦＩに後続するＴＴＩに対する制御ＲＦＩのすべてをＩ４に含んでいる。この方法は、不連続な局在化した割当の制御ＲＦＩのすべてを連結することにより、より高い符号化利得となる可能性がある。しかし、ＴＴＩにおけるＲＦＩの数は動的であって、リソース割当モジュール３３によりユーザに割り当てられた不連続な局在化した割当の数に依存することから、第１のリソース割当によって、不連続な局在化した割当の数、及び／又は、連結されたデータ及び制御ＲＦＩの大きさを表すには、共有制御チャネル５１内の情報Ｉ１'内に余分のフィールドが必要となる。例えば、４個までの不連続な局在化した割当を表すためには、主要な共有制御チャネルにおいて２ビットあれば十分である。この場合には、図４の「フォローアップ」ビットは不要となる。
【実施例３】
【０１０７】
本実施例において、実施例２と同様のＲＦＩフィールドのリストと、ビットマッピング法との間の動的なスイッチング（切替）が、スケジュールされたリソースブロック（Ｓｃｈｅｄｕｌｅｄ  Ｒｅｓｏｕｒｃｅ  Ｂｌｏｃｋｓ）に含まれる。
【０１０８】
実施例２の場合と同様に、後続のリソース割当のすべてが、１つのリソース割当のデータチャネル内にあるときに、不連続な局在化した割当の数が増大すると、伝達情報ビットの数も増大し、最終的にビットマップ法に対して必要とされる数を超過しうる。しかし、この数に達したとき、ＲＦＩフィールドのリストの代りに、第１の割当てられたデータ領域に、ビットマップを設けることができる。これは共有制御チャネルにおける「ＲＦＩの数」のフィールドのうちの一つの値を予約しておくことによって表すことができる。表１において、２０ＭＨｚの場合に対する例が示される。
【０１０９】
表１  共有制御チャネルに含まれる連結インジケータ（Ｃｏｎｃａｔｅｎａｔｅｄ  Ｉｎｄｉｃａｔｏｒ）フィールド
2011211749.tif 000003
【０１１０】
ビットマップ法との伝達オーバヘッドの比較
本セクションにおいて、実施例１乃至３のそれぞれのオーバヘッドの推定値を、ビットマップ法と比較して提示する。
【０１１１】
表２は、実施例１乃至３（Ａｌｔ１〜Ａｌｔ３）の各々に対する、共有制御チャネル及びデータ部において必要とされるビット数を示す。表２において、ｙは伝達すべき不連続な割当の数、ｘは「ツリーに基く」方法を用いて１つのリソース割当を伝達するのに必要なビット数、ｎはビットマップ法を用いた場合に必要となるビット数である（表３参照）。実施例３の場合には、必要なビット数を最小化するために、ｙの値にしたがって、ＴＴＩごとに２つのオプションの内の１つが選択される。
【０１１２】
表２  全帯域幅に亘って不連続な割当がないときの伝達オーバヘッドの推定値
2011211749.tif 000004
【０１１３】
表３  一の割当を伝達するのに要するビット数
2011211749.tif 000005
【０１１４】
図６（Ａ）及び６（Ｂ）は、それぞれ、表２の式を用いて、５ＭＨｚ及び２０ＭＨｚについて、実施例１乃至３とビットマップ法とを比較している。図６（Ａ）及び６（Ｂ）において、線１００、１０１、１０２及び１０３は、実施例１（Ａｌｔ１）、実施例２（Ａｌｔ２）、実施例３（Ａｌｔ３）及びビットマップ法をそれぞれ表している。図６（Ｂ）に示した２０ＭＨｚの場合を参照すると、不連続な割当の数が８よりも少なければ、実施例２（Ａｌｔ２）は、ビットマップ法よりも少ないビットを用いる。しかし、５ＭＨｚの場合（図６（Ａ））には、実施例２（Ａｌｔ２）は、不連続な割当の数がわずか２であっても、ビットマップ法よりも多くのビットを使用する。
【０１１５】
実施例３の場合（Ａｌｔ３）には、不連続な割当の数が５ＭＨｚ、１０ＭＨｚ、１５ＭＨｚ及び２０ＭＨｚに対して、それぞれ３、５、７及び８となったとき、ビットマップ法がより効率的となる。
【０１１６】
なお、ユーザ装置ＵＥには、大きな数の不連続な局在化した割当がつねに割り当てられるとは限らない。大半の場合には、比較的小さな数の不連続な局在化した割当が割り当てられる。かかる場合には、フルビットマップ法をつねに使用した場合と比較して、多くの伝達ビットを節約することができる。
【実施例４】
【０１１７】
下りリンクのリソース割当を伝達する本発明の他の方法が図７を参照して説明される。図７は、リソースブロックＲＢと、対応する固定サイズの共有制御チャネル５１の集合であって携帯電話ＵＥ１−ＵＥｎによって監視されるものとを有するＴＴＩ５０の一部を示す。本実施例において、リソースブロックＲＢ１、ＲＢ４及びＲＢ７は携帯電話ＵＥ２に割り当てられたものとして示され、リソースブロックＲＢ２及びＲＢ５は携帯電話ＵＥ３に割り当てられたものとして示され、リソースブロックＲＢ３は携帯電話ＵＥ１に割り当てられたものとして示され、リソースブロックＲＢ６は携帯電話ＵＥ４に割り当てられたものとして示される。
【０１１８】
図７に示した例において、リソース割当モジュール３３は、携帯電話に対する共有制御チャネルＬ１、Ｌ２、Ｌ３及びＬ４を、携帯電話の第１のリソースブロックに割り当てるのではなく、最良のＣＱＩを有するリソースブロックにおいて送信するように構成されるとともに、携帯電話に対する下りリンクのリソース割当情報を、最良のＣＱＩを有するリソースブロックＲＢ内に位置させるように構成される。
【０１１９】
図７に示した例において、リソースブロックＲＢ４のＣＱＩが１０であるのに対し、その携帯電話に関連付けられた他のリソースブロックＲＢ１及びＲＢ７のＣＱＩがそれぞれ８及び６であることから、リソース割当モジュール３３は、共有制御チャネルＬ２をリソースブロックＲＢ４において送信する。同様に、リソースブロックＲＢ５のＣＱＩが８であるのに対し、この携帯電話に関連付けられた他のリソースブロックＲＢ２のＣＱＩが７であることから、リソース割当モジュール３３は、共有制御チャネルＬ３をリソースブロックＲＢ５において送信する。携帯電話ＵＥ１及びＵＥ４に対する共有制御チャネルＬ１及びＬ４は、これらの携帯電話にそれぞれ唯一割り当てられたリソースブロックＲＢ３（ＣＱＩ６）及びＲＢ６（ＣＱＩ１１）においてそれぞれ送信される。
【０１２０】
図７によって示された例において、最高のＣＱＩ値を有するリソースブロックに対するデータＴＦ１及び制御ＲＦＩは、対応する共有制御チャネルＬ１、Ｌ２、Ｌ３又はＬ４に収容され、その携帯電話に割り当てられたＴＴＩにおける任意の他のリソースブロックに対する制御ＲＦＩは、最高のＣＱＩのリソースブロックに収容される。携帯電話ＵＥ２の場合には、制御チャネルＬ２は、データＴＦＩと、リソースブロックＲＢ４に対する制御ＲＦＩとを含む情報Ｉ５を収容し、リソースブロックＲＢ４は、現在のＴＴＩにおいて携帯電話ＵＥ２に割り当てられた他のリソースブロック（ＲＢ１、ＲＢ７）に対する制御ＲＦＩを含む情報Ｉ６を収容する。同様に、携帯電話ＵＥ３の場合には、制御チャネルＬ３は、データＴＦＩと、リソースブロックＲＢ５に対する制御ＲＦＩとを含む情報Ｉ７を収容し、リソースブロックＲＢ５は、現在のＴＴＩにおいて携帯電話ＵＥ３に割り当てられた他のリソースブロックＲＢ２に対する制御ＲＦＩを含む情報Ｉ８を収容する。最良のＣＱＩを有するリソースブロック中に制御チャネルを位置させるとともに、その携帯電話に割り当てられた他の任意のリソースブロックに対する制御ＲＦＩを、最良のＣＱＩを有するリソースブロック中に位置させることによって、携帯電話のデコーダモジュール９１による復号を成功させる可能性が最大化される。
【実施例５】
【０１２１】
図８は、下りリンクのリソース割当を伝達する本発明の他の方法を説明するための図であって、本実施例におけるリソース割当モジュール３３は、携帯電話ＵＥがスケジューリングを行う制御チャネルを決定するために制御チャネルを処理する順序で、共有制御チャネル５１の周波数スロットを満たすように構成されている点で、図７に示した方法と相違する。携帯電話ＵＥが制御チャネルを処理する順序は、図８の左端から右端に対応していることから、図示した例において、制御チャネルＬ１、Ｌ２、Ｌ３及びＬ４は、左端から最初の４つのリソースブロックに関連付けられている。この場合には、制御チャネルＬ１、Ｌ２、Ｌ３及びＬ４における制御ＲＦＩ及びデータＴＦ１を含む情報は、携帯電話を、最良のＣＱＩを有する携帯電話に割り当てられたリソースブロックに向け、図示した例においては、これは、携帯電話ＵＥ２に対してはリソースブロックＲＢ４であり、携帯電話ＵＥ３に対してはリソースブロックＲＢ５である。図７と同様に、リソース割当モジュール３３は、各携帯電話に対する最良のＣＱＩを有するリソースブロックに、その携帯電話に割り当てられた他のリソースブロックの制御ＲＦＩを含む情報を収容させるように構成されており、携帯電話ＵＥ２及びＵＥ３に対して示した例において、リソースブロックＲＢ４及びＲＢ５は、制御ＲＦＩを含む情報Ｉ９及びＩ１０を収容する。図８に示した順序は一例にすぎず、他の処理順序としてもよいことは勿論であると理解されたい。
【０１２２】
携帯電話ＵＥが制御チャネルを処理する順序で、すなわち、図８において左端から右端のスロットに向かって共有制御チャネル５１を満たした場合には、図７に示した場合と比較して、共有制御チャネルの復号の遅延が最小化される。
【実施例６】
【０１２３】
図９は、下りリンクのリソース割当を伝達する本発明の他の方法を説明する図である。図８における場合と同様に、リソース割当モジュール３３は、共有制御チャネル５１を左方から満たしていくようにするものの、本実施例においては、携帯電話ＵＥは、ユーザに対して可能な限り最良のＣＱＩを有するリソースブロックＲＢにおいて、各ＵＥの共有制御チャネルＬ１、Ｌ２、Ｌ３及びＬ４を送信するように試みるように基地局のリソース割当モジュール３３によって命じられることから、共有制御チャネル５１が満たされる順序は、ユーザに対するＣＱＩに依存し、図示した例においては、満たされる順序は、Ｌ２、Ｌ３、Ｌ１、及びＬ４の順となる。図８における場合と同様に、制御チャネルＬ１、Ｌ２、Ｌ３又はＬ４における制御ＲＦＩ及びデータＴＦＩを含む情報は、対応する携帯電話を、最良のＣＱＩを有する携帯電話に割り当てられたリソースブロックに向け、図示した例において、これは、携帯電話ＵＥ２に対してはリソースブロックＲＢ４であり、携帯電話ＵＥ３に対してはリソースブロックＲＢ５である。図８における場合と同様に、リソース割当モジュール３３は、各携帯電話に対する最良のＣＱＩのリソースブロックが、当該携帯電話に割当てられた他のリソースブロックに対する制御ＲＦＩを含むようにさせ、携帯電話ＵＥ２及びＵＥ３に対して示した例において、リソースブロックＲＢ４及びＲＢ５は、再び、制御ＲＦＩを含む情報Ｉ９及びＩ１０を含むこととなる。
【０１２４】
図９によってしめされた方法は、正しく復号される可能性を最大化するように努めつつ、共有制御チャネルの復号の遅延を最小化する。
【実施例７】
【０１２５】
上述の方法は、共有制御チャネルと共有データチャネルとを分割するために時分割多重化でなく周波数分割多重化を用いる場合に適用しうる。図１０は、あるＴＴＩにおける共有制御チャネル６１と共有データチャネル６２とが時分割多重化ではなく周波数分割多重化によって分割される、下りリンクのリソース割当を伝達する、図９と同様の方法を、以前の実施例と同様に、説明するための図である。図１０は、４つの携帯電話ＵＥ１乃至ＵＥ４に対する下りリンクのリソース割当を再び示す。本実施例において、リソース割当モジュール３３は、共有データチャネルのリソースブロックＲＢ１０、ＲＢ１３及びＲＢ１６を携帯電話ＵＥ１に、リソースブロックＲＢ１１及びＲＢ１４を携帯電話ＵＥ２に、リソースブロックＲＢ１２を携帯電話ＵＥ３に、リソースブロックＲＢ１５を携帯電話ＵＥ４に割当てている。本実施例において、リソース割当モジュール３３は、対応する携帯電話にとって最良のＣＱＩのリソースブロック（図１０では、携帯電話ＵＥ１及びＵＥ２に対してリソースブロックＲＢ１３及びＲＢ１４）に対するデータＴＦＩ及び制御ＲＦＩを含む情報を、対応する制御チャネルＬ１乃至Ｌ４が含むようにし、最良のＣＱＩのリソースブロックは、当該携帯電話に割り当てられた他のリソースブロックに対する制御ＲＦＩを含む情報（リソースブロックＲＢ１３、ＲＢ１４についてはＩ１２、Ｉ１３）を有している。
【０１２６】
結語
上述の実施形態（複数）によると、各ユーザ装置に複数のリソース割当が割当てられる通信システムにおいて、各ユーザ装置に対して、制御チャネルを介して、当該ユーザ装置に割り当てられた選択されたリソース割当に関する情報を提供するとともに、選択されたリソース割当におけるデータチャネルを介して、当該ユーザ装置に割当てられた少なくとも１つの他のリソース割当に関する情報を提供することによって、ユーザ装置にリソース割当情報が伝達される。一実施例において、選択されたリソース割当は、当該ユーザ装置に割当てられた第１のリソース割当であって、後続のさらなるリソース割当のそれぞれに関する情報は、後続のさらなるリソース割当に先行するリソース割当におけるデータチャネルを介して提供される。他の実施例において、選択されたリソース割当は、ユーザ装置に割当てられた第１のリソース割当であって、後続のさらなるリソース割当に関する情報は、第１のリソース割当におけるデータチャネルを介して提供される。他の実施例において、選択されたリソース割当は、最良のチャネル品質を有することが示されたリソース割当である。
【０１２７】
実施例３によると、フルビットマップ伝達をつねに使用する場合に比べて、制御伝達のオーバヘッドが著しく減少することが示された。
【０１２８】
ＥＵＴＲＡの下りリンクに適用可能な不連続な局在化したリソース割当を指示する方法について上述した。特に、実施例３（Ａｌｔ３）によると、フルビットマップ伝達をつねに使用する場合と比較して、制御伝達のオーバヘッドが著しく減少する。そこで、我々は、ＬＴＥ（Ｌｏｎｇ  Ｔｅｒｍ  Ｅｖｏｌｕｔｉｏｎ）のＤＬ（Ｄｏｗｎ  Ｌｉｎｋ）のリソース割当に対して、かかる方法を採用することを提案する。
【０１２９】
変形例及び代替例
いくつかの詳細な実施例について上述した。当業者であれば認識するように、本発明の利点を享受しつつ、上記の実施例に対して種々の変形及び代替が可能である。単なる例として、これらの変形例及び代替例のいくつかについて記載する。
【０１３０】
図４乃至１０に示された特定のリソース割当は単なる例であって、他のリソース割当も可能であることが、言うまでもなく理解される。
【０１３１】
適切であり、かつ、適合する場合には、上述の実施例のうちのいずれかに関して記載された特徴は、他の実施例において利用してもよい。
【０１３２】
上記の実施例において、複数の制御チャネルがあり、それぞれが対応するユーザ装置に対するスケジューリング情報を含んでいる。しかし、本発明は、単一の符号化された合同（共通）制御チャネルがある場合、又は、複数の合同符号化制御チャネルがあり、携帯電話がグループ化され、各グループが複数の合同符号化制御チャネルのうちの対応する１つに関連づけられている場合に、適用することができる。
【０１３３】
上記の実施例において、ユーザ装置は携帯電話である。しかし、ユーザ装置は、携帯通信システムを介して通信をすることができる任意のユーザ装置であってもよい。
【０１３４】
上記の実施例において、携帯電話に基づく移動通信システムであって、上述の伝達手法を用いたものについて記載した。
【０１３５】
当業者であれば認識するように、本発明は、特定の帯域幅又は上述のサブバンドの大きさに限られない。上記の実施例において、いくつかのソフトウエアモジュールについて記載した。当業者であれば認識するように、これらのソフトウエアモジュールは、コンパイル済又はコンパイル前の形式で提供してもよく、コンピュータネットワーク上の信号として又は記録媒体において基地局又は携帯電話に提供してもよい。さらに、このソフトウエアの一部又は全部によって行われる機能は、１又は２以上の専用ハードウエア回路を用いて行われるようにしてもよい。しかし、機能を更新するための、基地局５及び携帯電話ＵＥの機能の更新が容易となることから、ソフトウエアモジュールを用いることが好ましい。
【０１３６】
特に、本発明は、次のモードを含む。
（１）実質的に、添付の図面を参照して説明され、又は、添付の図面において示された通信リソース割当情報の伝達方法。
（２）実質的に、添付の図面を参照して説明され、又は、添付の図面において示された通信リソース割当情報の受信方法。
（３）実質的に、添付の図面を参照して説明され、又は、添付の図面において示された通信リソース割当情報を伝達する基地局。
（４）実質的に、添付の図面を参照して説明され、又は、添付の図面において示された通信リソース割当情報を受信するユーザ装置。
【符号の説明】
【０１３７】
５  基地局
７  電話網
２１、７１  送受信回路
２３、７３  アンテナ
２５  ネットワークインタフェース
２７、７５  コントローラ
２９、８５  メモリ
３１、８７  オペレーティングシステム
３３、８９  リソース割当モジュール
３５  エンコーダモジュール
５１、６１  共有制御チャネル
５２、６２  共有データチャネル
７７  ラウドスピーカ
７９  マイクロフォン
８１  ディスプレイ
８３  キーパッド
９１  デコーダモジュール
ＵＥ１〜ＵＥｎ  ユーザ装置
【図１】
2011211749.tif 000006
【図２】
2011211749.tif 000007
【図３】
2011211749.tif 000008
【図４】
2011211749.tif 000009
【図５】
2011211749.tif 000010
【図６】
2011211749.tif 000011
【図７】
2011211749.tif 000012
【図８】
2011211749.tif 000013
【図９】
2011211749.tif 000014
【図１０】
2011211749.tif 000015